(57)【要約】  本発明の対象は、特に乗用車内で衣料品を快適に輸送するために座席の背もたれ及びヘッドレストの裏側で用いられる衣類掛け装置である。本発明は、衣類掛け本体部（１）が、衣類掛け支持棒（２）に固定する方法で取付けられ、衣類掛け支持棒（２）の下端部が接合器具（４）に挿入されるという状態により特徴付けられる。また、本発明の特徴は、接合器具（４）が、前の座席の裏側の上部に直接取付けられ、又はヘッドレストを支持する二つの棒の間に配置される伸縮性のある接続片（３）に固定する方法で取付けられるという状態にあり、接合器具（４）が、好適には長方形の断面を有する管状本体部であり、その内部で同じく長方形断面を有する衣類掛け支持棒（２）が挿入される状態にある。そして、さらに従来の衣類掛けを設置するのに適したホック（５）が衣類掛け本体部（１）を貫通する衣類掛け支持棒（２）の上端部に取付けられることを特徴とする。【選択図】図１
2007515350.tif 000002
【特許請求の範囲】
【請求項１】
特に乗用車内の衣料品の快適な輸送のために座席の背もたれ及びヘッドレストの裏側で用いられ、衣類掛け本体部からなり、衣類掛け本体部（１）は、衣類掛け支持棒（２）に固定する方法で取付けられ、その下端部が接合器具（４）に挿入されることを特徴とする衣類掛け装置。
【請求項２】
接合器具（４）は、長方形の断面を有する管状本体部であり、その中に同じく長方形断面を有する衣類掛け支持棒（２）が挿入されることを特徴とする請求項１に記載の衣類掛け装置。
【請求項３】
接合器具（４）は、座席の背もたれの上部に固定する方法で直接取付けられたことを特徴とする請求項１又は２に記載の衣類掛け装置。
【請求項４】
接合器具（４）は、二つのヘッドレスト支持棒を接合し伸縮自在に組立てられる接続片（３）に固定した方法で取付けられることを特徴とする請求項１又は２に記載の衣類掛け装置。
【請求項５】
さらに従来の衣類掛けを設置するのに適したホック（５）が、衣類掛け本体部（１）を貫通する衣類掛け支持棒（２）の上端部に取付けられることを特徴とする請求項１乃至４のいずれかに記載の衣類掛け装置。
【発明の詳細な説明】
【発明の詳細な説明】
【０００１】
本発明の対象は、乗用車内の衣類輸送用衣類掛け装置であり、前の座席の背もたれの裏側に設置することにより運転者の視界を遮らないようにする。衣類掛け装置は、衣類掛け本体部からなり、取り外し可能な方法で衣類掛け支持棒及び接合器具を用いて座席の背もたれ又はヘッドレスト支持体の上に取り付けられることにより、棒を一動作で取り外すことができ、乗客を後部席で危険なく運搬することができるようにする。接合器具は、常にヘッドレストの垂直面の下方に設置することにより、衝突の場合にさえ事故の原因とならないようにする。
【０００２】
自動車内でジャケット、コート等の衣料品を普通の衣類掛けに掛けて、上部に設置される特別なホック又は頭上の安全グリップから直接突き出したホックに掛けることにより、皺を作らないようにしていることはよく知られている。自動車が移動、ブレーキ、又は加速すると、これらの衣料品は通常座席又は床に落下し皺ができてしまう。一方で、ジャケットを襟首に縫い付けられたループを用いて同じホックに掛ける場合もまた皺の原因となる。
【０００３】
先行技術では、ハンガリー国特許出願公開第２２２１９４号明細書が、乗用車内で頭上のグリップに衣料品を掛けるために用いる衣類掛けについて記載している。当該発明は、一つ若しくは二つの支持アームを備えるハンガーと、両支持アーム間に配置されるホックと、ホックの開口部内に設置され部分的にその開口部を閉鎖する弾性安全要素からなる。この要素は、スプリング力の方が強い時にはホックの開口部を開く。両支持アームは、間に空隙を設けて配置された第一及び第二針金片からなり、針金片の外端部は接合し、ホックが針金片の前方内端部に配置されて、弾性安全要素は追加針金片からなり、他の二つの針金片の内端部と接合する。
【０００４】
自動車内で衣料品を掛けて輸送することに関して、もう一つの発明がハンガリー国特許第２１３７６５号明細書に記載されている。当該発明は、衣料品を掛け且つ滑らせる輸送棒を備えてホックを輸送棒に掛けることができるようにした輸送トロッコと、輸送棒の方向に合わせて輸送品を滑り落とすことができる傾斜棒と、輸送トロッコから商品を受けるために分配棒の上端部に設置される受取構造体からなる。分配棒は、商品の受け取りに適した位置に到着する輸送トロッコの輸送棒に取付けられ、ホックの内部且つ下方に貫通する受取心棒と輸送棒から下降し延びる各ホックを持ち上げる上部傾斜釘部を備える。
【０００５】
当該発明は、自動車内で比較的大量の衣類を輸送すること、特に商業用に役立ち、複雑、高価な構造体を用いており、且つ私人が車で一つか二つの衣料品を輸送するのに機能的に向いていない。
【０００６】
本発明の創作にあたっての目的は、自動車に使用することのできる衣類掛け装置を発明することであり、前方座席の背もたれの裏側に単純な方法で設置することができることにより、運転者の視界を遮らないようにする。乗客を自動車で運搬する場合にもまた、衣類掛け支持棒及び衣類掛け本体部はいつでも簡単に一動作で取り外すことができ、衣類掛け支持棒の下端部が挿入される器具はヘッドレストの垂直面の下方に設置されるので、衣類掛け支持棒及び衣類掛け本体部が取り外された場合、残った器具は衝突の場合にさえ事故の原因とはならない。本装置は、ドアの機能を妨害することはなく、使用が容易で車の運転手及び後部席の乗客の双方にとって安全である。
【０００７】
本発明は、以下の認識に由来する。すなわち、衣類を運搬し輸送するのに用いられる衣類掛け装置を自動車の前方座席の背もたれの裏側に設置する場合、一方ではハンガー及びそれに掛けられる衣類は、自動車の運転手の妨害とはまったくならず、側部及び後部への視野を遮ることもない。他方では、衣類掛け本体部が、座席の背もたれ又はヘッドレスト支持部に取付けられる器具と取り外し可能な方法で衣類掛け支持棒により接合されることにより、衣類掛け本体部を一動作で簡単に取り外すことができるようにした場合には、乗客を事故の危険なく後部座席で運搬することができ、衣類掛け本体部が取り外された後に背もたれ又はヘッドレスト支持部上に残った器具が、ヘッドレストの垂直面の下方に設置される場合には、本装置は衝突の場合にさえ後部席の人に対する危険とはならず、したがって本発明は全ての点において設定した目的を達成する。
【０００８】
本発明の対象は、とりわけ乗用車内で快適に衣料品を設置するために座席の背もたれ及びヘッドレストの裏側で用いられる衣類掛け装置であり、その装置は衣類掛け支持棒に固定する方法で取付けられ、その下端部が接合器具に挿入される衣類掛け本体部からなる。
【０００９】
本発明に係る衣類掛けの他の実施形態では、接合器具は、長方形の断面を有する管状本体部であり、同じく長方形の断面を有する衣類掛け支持棒が取付けられる。
【００１０】
本発明に係る衣類掛け装置の他の実施形態では、接合器具は固定する方法で座席の背もたれの上部に直接取付けられる。
【００１１】
本発明に係る衣類掛け装置の第三の実施形態では、接合器具は固定する方法で伸縮自在に二つのヘッドレスト支持棒と接合する組立接続片に取り付けられる。
【００１２】
さらに、本発明に係る衣類掛け装置の実施形態では、さらに従来の衣類掛けの設置に適合させるのに役立つホックが衣類掛け本体部を貫通する衣類掛け支持棒の上端部に取付けられる。
【００１３】
本発明に係る衣類掛け装置の可能な実施形態を図面を通して説明する。
【００１４】
図１は、衣類掛け装置がヘッドレスト支持部に取付けられた後の衣類掛け装置の主要部の設置方法を示す。この図に示されるのは、ズボン掛けを備える従来型の三角要素からなる衣類掛け本体部１と、その長さのおよそ三分の二のところで衣類掛け本体部１に取付けられる衣類掛け支持棒２と、ヘッドレスト支持部にその端縁部で取付けられ、その長さが乗用車の多様な型式に併せて伸縮自在に設定することができる接続片３である。接続片３の各端縁部は、鞘のように支持棒にかぶせる管状本体部によりヘッドレスト支持部に取付けられる。
【００１５】
図３は、接合器具４を明確に示している。接合器具４は接続片３上に固定する方法で配置され、衣類掛け支持棒２の下端部が挿入されて、もはや必要ではなくなったときに衣類掛け支持棒２は一動作でヘッドレストの裏側から取り外すことができる。
【００１６】
図２は、衣類掛け装置がヘッドレストの裏側に設置される方法を示している。衣類掛け支持棒２のＺ型面が以下のような態様ではっきりと視認できる。すなわち、衣料品が設置される衣類掛け本体部１は、ヘッドレストの裏側に配置され、運転者の視界を遮らないようにする。当該図はまた、接合器具４の構造を明確に描いており、接合器具４は、接続片３上に配置されヘッドレストの後部垂直面の下方に設置されることにより、衣類掛け支持棒２が取り外された後に乗客が後部席で安全に運搬されることができ、衝突の場合にさえ事故の危険がないようにする。また、図では衣類掛け支持棒２の上部水平部に配置されるホック５の役割を視認することができる。当該部分は、衣類掛け支持棒２に固着される。さらにいくつかの従来の衣類掛けをホック５に掛けることができ、それらの衣類掛けが衣類掛け本体部１に平行となり、衣類掛け本体部１と同様に運転者の視界を遮らないようにする。
【００１７】
図３は、接合器具（４）の第二の構成を図示する。接合器具は、座席の裏側の上部に固着される。接合器具（４）は、長方形の断面を有する管状構造体であり、その中により小さな長方形断面を有する衣類掛け支持棒（２）の下端部が挿入され、もはや必要ではなくなったときに一動作で取り外すことができるようにし、背もたれの上部に残った接合器具（４）により後部席で乗客を安全に運搬できるようにする。これらの要素の長方形構造により、衣類掛け支持棒（２）が回転して所定位置から外れるのを防ぐ。
【００１８】
本発明に係る衣類掛け装置の使用の可能性について、本発明の目的を述べつつ本明細書の導入部で説明し、その目的が十分達成されることを説明した。本発明に係る解決策がもたらす利点は、以下の通りである。
−  輸送される衣料品を保持する衣類掛け装置は、自動車内で前の座席のヘッドレストの下方に配置されることで、運転手の視界を遮らないようにする。
−  当該装置は、もはや必要ではなくなったときには一動作で簡単に取り外すことができ、したがって自動車の後部で運搬される人の安全に対して危険を与えない。
−  接続片又は他の実施形態で前の座席の背もたれの上部に残った接合器具が、ヘッドレストの後部垂直線の下方に配置される態様であるため、衝突の場合にさえ事故の原因とはならない。
−  衣類掛け装置は、好適には金属又は弾性プラスチックからなる。
【図面の簡単な説明】
【００１９】
【図１】本発明に係る衣類掛け装置の背面図である。
【図２】ヘッドレスト支持棒間の接続片を含む実施形態の側面図である。
【図３】本発明に係る衣類掛け装置の接合器具の設置並びに衣類掛け支持棒が接合器具に挿入される方法を示す。
【符号の説明】
【００２０】
１  衣類掛け本体部
２  衣類掛け支持棒
３  接続片
４  接合器具
５  ホック
【図１】
2007515350.tif 000003
【図２】
2007515350.tif 000004
【図３】
2007515350.tif 000005
【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
特に乗用車内の衣料品の快適な輸送のために座席の背もたれ及びヘッドレストの裏側で用いられ、衣類掛け支持棒（２）に取り付けられる衣類掛け本体部（１）からなり、衣類掛け支持棒の下端部は、接合器具（４）に接合され、接合器具（４）は開口上端部を備える管状本体部であり、座席背もたれの上端部の中間部であり且つ二つのヘッドレスト支持棒間の部分で固定する方法で背もたれに直接内蔵され、二つのヘッドレスト支持棒と接合し、その中に衣類掛け支持棒（２）の下端部が直接接触して挿入されることを特徴とする衣類掛け装置。
【請求項２】
接合器具（４）は、長方形の断面を有する管状本体部であり、その中に同じく長方形断面を有する衣類掛け支持棒（２）が挿入されることを特徴とする請求項１に記載の衣類掛け装置。
【請求項３】
さらに従来の衣類掛けを設置するのに適したホック（５）が、衣類掛け本体部（１）を貫通する衣類掛け支持棒（２）の上端部に取付けられることを特徴とする請求項１又は２に記載の衣類掛け装置。
【手続補正２】
【補正対象書類名】明細書
【補正対象項目名】全文
【補正方法】変更
【補正の内容】
【発明の詳細な説明】
【発明の詳細な説明】
【０００１】
本発明の対象は、乗用車内の衣類輸送用衣類掛け装置であり、前の座席の背もたれの裏側に設置することにより運転者の視界を遮らないようにする。衣類掛け装置は、衣類掛け本体部からなり、取り外し可能な方法で衣類掛け支持棒及び接合器具を用いて座席の背もたれ又はヘッドレスト支持体の上に取り付けられることにより、棒を一動作で取り外すことができ、乗客を後部席で危険なく運搬することができるようにする。接合器具は、常にヘッドレストの垂直面の下方に設置することにより、衝突の場合にさえ事故の原因とならないようにする。
【０００２】
自動車内でジャケット、コート等の衣料品を普通の衣類掛けに掛けて、上部に設置される特別なホック又は頭上の安全グリップから直接突き出したホックに掛けることにより、皺を作らないようにしていることはよく知られている。自動車が移動、ブレーキ、又は加速すると、これらの衣料品は通常座席又は床に落下し皺ができてしまう。一方で、ジャケットを襟首に縫い付けられたループを用いて同じホックに掛ける場合もまた皺の原因となる。
【０００３】
日本国特開平０５−３３７０２４号公報の要約に同様の配置が記載されており、ハンガー装置が、自動車座席のヘッドレストの一組の支持棒を接合することができる挿入孔を具備する挿入基盤部、器具基板部から上方に延在する支柱及び当該支柱の上端部に接合する衣類掛けから構成され、衣類掛けはヘッドレストを座席から引き出すという単純な作業により座席の後ろに直立させることができ、器具基盤部の挿入孔はヘッドレストの支持棒と接合し、次にヘッドレストは元通りに取付けられる。
【０００４】
また、先行技術として米国特許第６２６０７５０号明細書の記載がある。
【０００５】
この発明はスーツハンガーからなり、車内で使用するのに適しており、一対の下方に延在する垂直取付け棒を具備する座席部材とヘッドレスト部材を設置して、座席部材の頂部上に取付けるようにする。スーツハンガーは、主要本体部と一対の接続部材を含む。主要本体部は、二つの対向端縁部を備えた上方に湾曲する上部棒と、上部棒の下に配置される一対の下部棒と、一対の垂直棒とを具備する。各下部棒は、上部棒の対向端縁部のそれぞれと接合する外端部と外端部から下部棒の他の一方へ延在する内端部を具備する。各垂直棒は、下部棒のそれぞれ一つの内端部に接合する上端部及び下端部を具備する。
【０００６】
両解決策の欠点は、ヘッドレストを座席から引き出すことによってのみ装置を用いることができることであり、その原因は器具基盤部の挿入孔がヘッドレストの支持棒と結合するためである。
【０００７】
国際公開第９３／２５４１１号パンフレットは、ヘッドレストを持ち上げるために座席後方から上方に延在する一つ或いは二つの支柱を具備して車の座席に取付ける衣類ハンガーを示す。当該衣類ハンガーは、衣類の肩部及び襟部を支持するのに適した衣類支持構造体と、車の座席後方の上部面から延在する一つ以上の柱と係合し、車の座席裏側上に取り付けられたヘッドレストと車の座席とを接合することにより車の座席に取付けられるのに適した取り付け構造体と、座席後方の上端部に近接して座席の前面に係合することなく衣類支持構造体を支持することができる取り付け構造体を含む。
【０００８】
この解決策の欠点は、衣類ハンガーが複雑で高価なベアリングパッド及びヨークにより座席に接合され、そのベアリングパッド及びヨークがヘッドレスト支柱を取り外すことによってのみ取付けることができるという点である。衣類ハンガーを取り外した後も、なおベアリングパッド及びヨークは、後部座席に座る乗客にとって不慮の災害又は事故の原因となる。
【０００９】
当該発明は、自動車内で比較的大量の衣類を輸送すること、特に商業用輸送に役立ち、複雑、高価な構造体を用いており、且つ私人が車で一つか二つの衣料品を輸送するのに機能的に向いていない。
【００１０】
本発明の創作にあたっての目的は、自動車に使用することのできる衣類掛け装置を発明することであり、前方座席の背もたれの裏側に単純な方法で設置することができることにより、運転者の視界を遮らないようにする。乗客を自動車で運搬する場合にもまた、衣類掛け支持棒及び衣類掛け本体部はいつでも簡単に一動作で取り外すことができ、衣類掛け支持棒の下端部が挿入される器具はヘッドレストの垂直面の下方に設置されるので、衣類掛け支持棒及び衣類掛け本体部が取り外された場合、残った器具は衝突の場合にさえ事故の原因とはならない。本装置は、ドアの機能を妨害することはなく、使用が容易で車の運転手及び後部席の乗客の双方にとって安全である。
【００１１】
本発明は、以下の認識に由来する。すなわち、衣類を運搬し輸送するのに用いられる衣類掛け装置を自動車の前方座席の背もたれの裏側に設置する場合、一方ではハンガー及びそれに掛けられる衣類は、自動車の運転手の妨害とはまったくならず、側部及び後部への視野を遮ることもない。他方では、衣類掛け本体部が座席の背もたれ又はヘッドレスト支持部に取付けられる器具と取り外し可能な方法で衣類掛け支持棒により接合されることにより、衣類掛け本体部を一動作で簡単に取り外すことができるようにした場合には、乗客を事故の危険なく後部座席で運搬することができ、衣類掛け本体部が取り外された後に背もたれ又はヘッドレスト支持部上に残った器具が、ヘッドレストの垂直面の下方に設置される場合には、本装置は衝突の場合にさえ後部席の人に対する危険とはならず、したがって本発明は全ての点において設定した目的を達成する。
【００１２】
本発明の対象は、とりわけ乗用車内で快適に衣料品を設置するために座席の背もたれ及びヘッドレストの裏側で用いられる衣類掛け装置であり、その装置は衣類掛け本体部からなり、衣類掛け本体部は衣類掛け支持棒に取り付けられ、衣類掛け支持棒の下端部は、開口上端部を備える管状本体部である接合器具に挿入され、その接合器具は固定する方法で直接座席背もたれの上端部の中間部分で背もたれに内蔵され、二つのヘッドレスト支持棒の間の部分で二つのヘッドレスト支持棒に接合し、その中に衣類掛け支持棒の下端部が直接に接触して挿入される。
【００１３】
本発明に係る衣類掛けの他の実施形態では、接合器具は、長方形の断面を有する管状本体部であり、同じく長方形の断面を有する衣類掛け支持棒が取付けられる。
【００１４】
さらに、本発明に係る衣類掛け装置の実施形態では、さらに従来の衣類掛けの設置に適合させるのに役立つホックが衣類掛け本体部を貫通する衣類掛け支持棒の上端部に取付けられる。
【００１５】
本発明に係る衣類掛け装置の可能な実施形態を図面を通して説明する。
【００１６】
図１は、衣類掛け装置の主要部の設置方法を示す。この図に示されるのは、ズボン掛けを備える従来型の三角要素からなる衣類掛け本体部１と、その長さのおよそ三分の二のところで衣類掛け本体部１に取付けられる衣類掛け支持棒２とからなり、接合器具４が衣類掛け支持棒２の下端部と接合し、衣類掛け支持棒２がもはや必要なくなったときに一動作でヘッドレストの裏側から取り除くことができるようにすることを示す。
【００１７】
図はまた、接合器具４の構造を明確に示しており、接合器具４は、座席背もたれの上端部の中間部であり且つ二つのヘッドレスト支持棒の間の部分で背もたれに固定する方法で直接内蔵され、衣類掛け支持棒２が取り外された後に乗客が後部席で安全に運搬され、衝突の場合でさえ事故の危険がないようにする。
【００１８】
図２は、衣類掛け支持棒２の上方水平部に配置され、衣類掛け支持棒２に固定した方法で取り付けられるホック５の役割を示す。従来の衣類掛けはさらにいくつかホック５にかけることができ、衣類掛け本体部１に平行となって衣類掛け本体部１と同様に運転者の視界を遮ることのないようにする。
【００１９】
図は、接合器具４の第二の構成を図示する。接合器具は、座席の裏側の上部に固着される。接合器具４は、長方形の断面を有する管状構造体であり、その中により小さな長方形断面を有する衣類掛け支持棒２の下端部が挿入され、もはや必要ではなくなったときに一動作で取り外すことができるようにし、背もたれの上部に残った接合器具４により後部席で乗客を安全に運搬できるようにする。これらの要素の長方形構造により、衣類掛け支持棒２が回転して所定位置から外れるのを防ぐ。
【００２０】
本発明に係る衣類掛け装置の使用の可能性について、本発明の目的を述べつつ本明細書の導入部で説明し、その目的が十分達成されることを説明した。本発明に係る解決策がもたらす利点は、以下の通りである。
−  輸送される衣料品を保持する衣類掛け装置は、自動車内で前の座席のヘッドレストの下方に配置されることで、運転手の視界を遮らないようにする。
−  当該装置は、もはや必要ではなくなったときには一動作で簡単に取り外すことができ、したがって自動車の後部で運搬される人の安全に対する危険を与えない。
−  接続片又は他の実施形態で前の座席の背もたれの上部に残った接合器具が、ヘッドレストの後部垂直線の下方に配置される態様であるため、衝突の場合にさえ事故の原因とはならない。
−  衣類掛け装置は、好適には金属又は弾性プラスチックからなる。
【図面の簡単な説明】
【００２１】
【図１】本発明に係る衣類掛け装置の側面図であり、
【図２】ホック型要素を備えた本発明に係る衣類掛け装置である。
【符号の説明】
【００２２】
１  衣類掛け本体部
２  衣類掛け支持棒
４  接合器具
５  ホック
【手続補正３】
【補正対象書類名】図面
【補正対象項目名】全図
【補正方法】変更
【補正の内容】
【図１】
2007515350.tif 000006
【図２】
2007515350.tif 000007
【国際調査報告】
2007515350.tif 000008
2007515350.tif 000009